(57)【要約】【課題】蓋部材が開閉されるとき蓋部材開閉装置における駆動軸の動作軸線にずれが発生するのを防止することができるようにしたエレベータ装置を提供する。【解決手段】蓋部材開閉装置の駆動軸１９と蓋部材１１間に設けた中間リンク２０と、中間リンク２０の一方側端と蓋部材１１間を連結する第一連結軸３３と、中間リンク３５の他方側端と駆動軸１９間を連結する第二連結軸３４と、蓋部材１１の開閉時の中心となる回転中心軸１７とを備え、第一連結軸３３および第二連結軸３４を駆動軸１９のほぼ中心軸線上に配置し、第一連結軸３３と第二連結軸３４と回転中心軸１７とをほぼ平行に配置すると共に、蓋部材１１の開閉に伴う第一連結軸３３の移動距離よりも大きな距離を隔てて駆動軸１９の中心軸線３７からほぼ直交する方向に回転中心軸１７を配置した。【選択図】図４
2018002453.tif 000002
【特許請求の範囲】
【請求項１】
乗りかごの換気装置に設けられ断電時に換気のために回転中心軸を中心にして開扉される蓋部材と、前記蓋部材の前記回転中心軸側に配置され前記蓋部材に連結された駆動軸と、給電時に前記駆動軸を軸方向に駆動して前記蓋部材を閉扉すると共に断電時に前記駆動軸を軸方向に反対側に駆動して前記蓋部材の開扉する蓋部材開閉装置を備えたエレベータ装置において、
前記蓋部材と前記駆動軸間に中間リンクを設け、前記中間リンクの一方側端と前記蓋部材間を第一連結軸で連結し、前記中間リンクの他方側端と前記駆動軸間を第二連結軸で連結し、前記第一連結軸および前記第二連結軸を前記駆動軸の延長線上に配置したことを特徴とするエレベータ装置。
【請求項２】
前記駆動軸の延長線上と前記蓋部材との間に前記回転中心軸が配置され、
前記換気装置のベースに固定するためのブラケットと、前記蓋部材の端部に設け可回転的に前記ブラケットに連結した端金具と、を有する請求項１に記載のエレベータ装置。
【請求項３】
前記第一連結軸と前記第二連結軸と前記回転中心軸とをほぼ平行に配置すると共に、前記蓋部材の開閉に伴う前記第一連結軸の移動距離よりも大きな距離を隔てて前記駆動軸の中心軸線からほぼ直交する方向に前記回転中心軸を配置したことを特徴とする請求項１に記載のエレベータ装置。
【請求項４】
前記リンク装置は、前記蓋部材と前記駆動軸間に設けた中間リンクと、前記中間リンクの一方側端と前記蓋部材間を連結する第一連結軸と、前記中間リンクの他方側端と前記駆動軸間を連結する第二連結軸と、前記蓋部材の開閉時の中心となる回転中心軸とを備え、閉状態の前記蓋部材に対して直交し、かつ前記回転中心軸を通る仮想垂直面を想定したとき、前記蓋部材の閉状態で前記第一連結軸は前記仮想垂直面の前記蓋部材側に位置させ、一方、前記蓋部材の開状態で前記第一連結軸は前記仮想垂直面の反対側に位置させたことを特徴とする請求項３に記載のエレベータ装置。
【請求項５】
前記第一連結軸は、前記蓋部材の閉状態で前記仮想垂直面の前記蓋部材側に位置したときの前記仮想垂直面との間の距離と、前記蓋部材の開状態で前記仮想垂直面の前記反対側に位置したときの前記仮想垂直面との間の距離とをほぼ等しくしたことを特徴とする請求項３に記載のエレベータ装置。
【請求項６】
前記蓋部材の開状態における位置の前記第一連結軸と、前記蓋部材の閉状態における位置の前記第一連結軸との間の距離よりも大きな距離の位置で、かつほぼ二等辺三角形の頂点に前記回転中心軸が位置することを特徴とする請求項２に記載のエレベータ装置。
【発明の詳細な説明】
【技術分野】
【０００１】
本発明は、乗りかご内の換気を行う換気装置を備えたエレベータ装置に関する。
【背景技術】
【０００２】
本技術分野の背景技術として、特開２０１１−５７４１４号公報（特許文献１）がある。この公報には、乗りかご内の気圧を制御する気圧制御装置を備えたエレベータの換気装置であって、乗りかごに設けられ断電時に換気のため開扉される蓋部材と、給電が行われる通常時は通電状態となり、その軸の動作で閉扉した蓋部材をロックするロック用ソレノイドと、蓋部材が閉扉されたときに、ロック用ソレノイドに通電する作動スイッチと、断電時にロック用ソレノイドの軸を後退させる非ロック用弾性材と、蓋部材の開扉力を付与する開扉用弾性材と、通常時の状態に復帰する際、蓋部材を閉扉する換気窓閉扉手段とを備えているエレベータ換気装置が記載されている。
【先行技術文献】
【特許文献】
【０００３】
【特許文献１】特開２０１１−５７４１４号公報
【発明の概要】
【発明が解決しようとする課題】
【０００４】
しかしながら、特許文献１に記載されたエレベータ装置は、蓋部材を開閉するときに使用される閉用ソレノイドおよび開扉用弾性材からなる蓋部材開閉装置によって直線駆動される駆動軸の動きを、蓋部材に設けたレバーを介して蓋部材の開閉力として伝達していた。このため、駆動軸の直線移動が、蓋部材に設置されたレバーの回転運動に変換されるときに、駆動軸の動作軸線が変化して並進移動となり、駆動軸とレバーとの連結位置にずれが発生し駆動の伝達が悪くなることを、発明者らは見出した。
【０００５】
そこで、本発明の目的は、蓋部材が開閉される駆動力の伝達を効率よく行なう蓋部材開閉装置を有するエレベータ装置を提供することにある。
【課題を解決するための手段】
【０００６】
上記課題を解決するために、本発明は、乗りかごに設けられ断電時に換気のために回転中心軸を中心にして開扉される蓋部材と、前記蓋部材の前記回転中心軸側に配置され前記蓋部材に連結された駆動軸と、給電時に前記駆動軸を軸方向に駆動して前記蓋部材を閉扉すると共に断電時に前記駆動軸を軸方向に反対側に駆動して前記蓋部材の開扉する蓋部材開閉装置を備えたエレベータ装置において、前記蓋部材と前記駆動軸間に中間リンクを設け、前記中間リンクの一方側端と前記蓋部材間を第一連結軸で連結し、前記中間リンクの他方側端と前記駆動軸間を第二連結軸で連結し、前記第一連結軸および前記第二連結軸を前記駆動軸のほぼ中心軸線上に配置した。
【発明の効果】
【０００７】
なお、上述した以外の課題、構成および効果は、以下の実施形態の説明により明らかにされる。
【図面の簡単な説明】
【０００８】
【図１】本発明の一実施例によるエレベータ装置を示す概略構成図である。
【図２】図１に示した換気装置の正面図である。
【図３】図２に示した換気装置の蓋部材の閉状態を示す平面図である。
【図４】リンク装置２０の近傍を拡大して示す平面図である。
【図５】図４に示した蓋部材を簡略化して示す模式図である。
【図６】図３に示した蓋部材の開状態を示す平面図である。
【発明を実施するための形態】
【０００９】
以下、本発明の実施例を図面に基づいて説明する。
【実施例１】
【００１０】
図１は、本発明の一実施の形態によるエレベータ装置の概略構成図である。
乗りかご１は、四方向の側部に設けられた側板２と、側板２を下部で支持している床３と、側板２の上部に設けられる天井４と、乗りかご１の前側の側板２に設けられ開閉可能に構成されたドア５とを備えている。このような乗りかご１は、気密性が保たれて構成されている。
【００１１】
この気密性を有する乗りかご１の内部の気圧を制御するため、天井４の上部に、乗りかご１の外部の空気をその内部に送り込むブロア６と、チャンバー７と、ダクト８と、分流室９が設置され、ブロア６により乗りかご１内に流入される空気量を調整することによって、乗りかご１内の気圧が制御されている。また、乗りかご１の天井部に配置した分流室９の側壁部には、換気用通風口が形成され、この分流室９の換気用通風口を開閉可能な換気装置１０が取り付けられている。この換気装置１０については詳細を後述するが、給電が停止されることになる非常時に、上述した換気用通風口を開放状態にして乗りかご１の内外を連通させて換気を行うように構成されている。
【００１２】
図２は、換気装置１０の正面図である。図２は、図１の地点Ｍから換気装置１０を見た図である。
【００１３】
換気装置１０は、給電が絶たれてしまう非常時に乗りかご１の内外を連通することになる換気用通風口を開閉する構成として、換気用通風口を開閉可能な蓋部材１１と、この蓋部材１１を開閉操作する蓋部材開閉駆動装置１２と、定常状態で閉状態にある蓋部材１１を同状態にロックし、かつ給電が停止された非常時には蓋部材１１のロックを解除する蓋部材電磁ロック装置１４を有している。
【００１４】
上述した蓋部材１１は、分流室９の側壁部に形成されている換気用通風口を開閉するために、分流室９の側壁部にほぼ鉛直に配置されたベース１６上に構成されている。蓋部材１１は、上下一対のヒンジなどの回転中心軸１７を中心にして回動するようにベース１６に取り付けられている。従って、蓋部材１１は、上下方向に回動するのではなく、回転中心軸１７を中心にして常にほぼ鉛直面を保持して前面側へと回動するため、その開閉操作力は小さくなる。
【００１５】
上述した蓋部材開閉駆動装置１２は、定常状態の給電によって励磁されて蓋部材１１を閉状態に駆動し同状態を保持している蓋部材閉用電磁駆動装置と、蓋部材閉用電磁駆動装置が消磁されたときに蓋部材１１を開扉する開扉用ばね装置１３とによって構成されている。また蓋部材開閉駆動装置１２は、換気装置１０のベース１６の前面側に支持した支持部材１８上に配置されており、その中心部に軸方向に移動可能な駆動軸１９と、詳細を後述するが駆動軸１９と蓋部材１１間に連結された中間リンク２０を有している。さらに、中間リンク２０の一端部を第一連結軸３３によって端金具３２に連結し、かつ中間リンク２０の他端部を第二連結軸３４によって駆動軸１９に連結している。中間リンク２０は、ベース１６側に固定したブラケット２９と、蓋部材１１の端部に設けた端金具３０を介して可回転的に連結している。開扉用ばね装置１３は、駆動軸１９と支持部材１８間に配置され、駆動軸１９に対して蓋部材１１を開扉する方向の力を与えている。
【００１６】
定常状態で、蓋部材開閉駆動装置１２の図示しないソレノイドは励磁され、開扉用ばね装置１３に抗した力を与えて蓋部材１１の閉扉状態を保持している。しかし、給電が停止されることになる非常時には、蓋部材開閉駆動装置１２の図示しないソレノイドは消磁されるため、開扉用ばね装置１３によって蓋部材１１は回転中心軸１７で回動されて開扉状態となる。蓋部材１１は、上述したように回転中心軸１７を中心にして常にほぼ鉛直面を保持して前面側へと回動するため、上下に開閉する方式に比べて蓋部材開閉駆動装置１２および開扉用ばね装置１３の開閉操作力を小さくすることができる。
【００１７】
また上述した蓋部材電磁ロック装置１４は、定常状態で励磁されて蓋部材１１を閉扉状態に保持するが、消磁されたときに蓋部材１１のロック状態を解除する解除用ばね装置１５を有して構成されている。蓋部材電磁ロック装置１４は、ベース１６の前面側に支持した支持部材２１上に配置されており、その中心部に軸方向に移動可能な駆動軸２２を有している。解除用ばね装置１５は、駆動軸２２と支持部材１８間に配置され、駆動軸２２に対して蓋部材１１のロックを解除する方向の力を与えている。
【００１８】
定常状態で、蓋部材電磁ロック装置１４の図示しないソレノイドは励磁され、解除用ばね装置１５に抗した力を与えて蓋部材１１が開扉しないように機械的にロックした状態を保持している。しかし、給電が停止された非常時には、解除用ばね装置１５の図示しないソレノイドは消磁されるため、解除用ばね装置１５によって蓋部材１１のロック状態が解除され、上述した開扉用ばね装置１３によって蓋部材１１が開駆動される。
【００１９】
また、換気装置１０のベース１６と分流室９の取り付け壁面との対向部間には、換気用通風口の外周部を気密状態に保持する気密部材２３が環状に配置されており、この気密部材２３によってブロア６による乗りかご１内の空気量調整制御が損なわれないようにされている。
【００２０】
こうして、定常状態では、蓋部材１１が閉状態に保持され、図１に示したブロア６により乗りかご１内に流入される空気量が調整されて、乗りかご１内の気圧が制御される。しかし、給電が停止されることになる非常時には、ブロア６は停止されるが、換気装置１０の蓋部材１１が開状態になされ、乗りかご１の内外を連通している換気用通風口を開放して換気が行われる。
【００２１】
さらに図２に示した換気装置１０は、分流室９への取り付け時に、換気装置１０のベース１６と分流室９の取り付け壁面との水平方向の対向部間に、気密部材２３の内側で環状に配置された水平方向防振部材２４を有している。この水平方向防振部材２４は、厚み方向である水平方向変位量を一定値内に規整する複数本の水平支持ボルト２５によって保持されている。
【００２２】
つまり、換気装置１０のベース１６と分流室９の取り付け壁面２８との対向部間には、水平方向（図示の前後方向）に対向部が形成され、この対向部間に厚み寸法を増減するように変位可能な水平方向防振部材２４が配置されている。この水平方向防振部材２４はその厚み方向である水平方向変位量を一定値内に規整する水平支持ボルト２５によって保持されている。
【００２３】
また換気装置１０は、分流室９への取り付け時に、換気装置１０のベース１６と分流室９の取り付け壁面との垂直方向の対向部間に、垂直方向防振部材２６を有している。この垂直方向防振部材２６は、その厚み方向の垂直方向変位量を一定値内に規整する複数本の垂直支持ボルト２７によって保持されている。
【００２４】
つまり換気装置１０のベース１６における上部端と、分流室９の取り付け壁面２８における上部端間には、垂直方向（図示の上下方向）に間隙を有して対向する対向部が形成され、この対向部間の間隙に厚み寸法を増減するように変位可能な垂直方向防振部材２６が配置されている。ベース１６よりも上方に位置する取り付け壁面２８側から垂直支持ボルト２７が挿入されている。
【００２５】
上述した水平方向防振部材２４および垂直方向防振部材２６は、その厚み方向に変位することによって防振効果を与えるものであり、換気装置１０側で特に、蓋部材電磁ロック装置１４の急峻な動作時に変位して防振効果を与え、蓋部材電磁ロック装置１４で発生する衝撃振動を吸収または減衰する。
【００２６】
上述した水平支持ボルト２４および垂直支持ボルト２７は、例えば段付きボルトであって、ベース１６および取り付け壁面２８に予め形成されている挿入孔と、水平方向防振部材２４および垂直方向防振部材２６に予め形成されている挿入孔には非螺合状態で挿入され、その挿入側先端に形成されたねじ部を取り付け壁面２８およびベース１６にねじ込んで螺合状態とされている。従って、非螺合状態の部分では、水平方向防振部材２４の厚み方向に水平方向防振部材２４を変位させながらベース１６と取り付け壁面２８間は一定変位量だけ近接したり離反したりすることができる。同様に、垂直方向防振部材２６の厚み方向に垂直方向防振部材２６を変位させながらベース１６と取り付け壁面２８間は一定変位量だけ近接したり離反したりすることができる。
【００２７】
換気装置１０側では、蓋部材開閉駆動装置１２によって蓋部材１１を開閉したとき、また蓋部材電磁ロック装置１４によって蓋部材１１をロックまたは解除したときに衝撃振動が発生する。この時の衝撃振動または衝撃音が乗りかご１内にも伝達されると、給電が停止された非常時に乗りかご内に乗客がいた場合、乗客はこの衝撃振動や衝撃音によって一層不安感を抱いてしまう。
【００２８】
しかし、換気装置１０側で衝撃が発生して、水平支持ボルト２５の軸方向における衝撃が分流室９側に伝達されようとしても、水平支持ボルト２５での空動きによって水平方向防振部材２４がその厚み方向に変位されて吸収または抑制される。従って、給電が停止されることになる非常時に乗りかご内に乗客がいたとしても、乗客がこの振動や衝撃音によって一層不安になるのを防止することができる。同様に、換気装置１０側で衝撃が発生して、垂直支持ボルト２７の軸方向における衝撃が分流室９側に伝達されようとしても、垂直支持ボルト２７での空動きによって垂直方向防振部材２６がその厚み方向に変位されて吸収または抑制される。従って、給電が停止されることになる非常時に乗りかご内に乗客がいたとしても、乗客がこの振動や衝撃音によって一層の不安感を抱くのを防止することができる。
【００２９】
図３は上述した蓋部材１１の閉状態を示す平面図であり、図４は上述したリンク装置２０の近傍を拡大して示す平面図である。
【００３０】
上述したように駆動軸１９と蓋部材１１との間には、中間リンク２０が連結されている。この中間リンク２０は、特に図４に示すように蓋部材１１の端部に一体的に結合された端金具３２と駆動軸１９との間に設けられ、中間リンク２０の一端部を第一連結軸３３によって端金具３２に連結し、かつ中間リンク２０の他端部を第二連結軸３４によって駆動軸１９に連結している。この中間リンク２０の近傍には回転中心軸１７が配置され、ベース１６側に固定したブラケット２９と、蓋部材１１の端部に設けた端金具３０の間を可回転的に連結している。
【００３１】
回転中心軸１７は、図２に示した蓋部材１１を可回転的に支持したもので、第一連結軸３３および第二連結軸３４と共に、それらの各中心軸線が全てほぼ平行となるような向きで配置されている。
【００３２】
図５は、図４における蓋部材を拡大し簡略化して示す模式図である。
【００３３】
同図は、回転中心軸１７と、蓋部材１１が閉状態にあるときの位置の第一連結軸３３と、蓋部材１１が開状態にあるときの位置の第一連結軸３３Aの位置関係を示しており、第一連結軸３３と図示を省略した第二連結軸３４は、ほぼ駆動軸１９の中心軸線３７上に位置している。また、第一連結軸３３，３３Aと、図示を省略した第二連結軸３４および回転中心軸１７は、ほぼ同じ向きで、各中心軸線はほぼ平行にされている。
【００３４】
閉状態の蓋部材１１に対して直交し、かつ回転中心軸１７を通る仮想垂直面３８を想定したとき、蓋部材１１の閉状態で第一連結軸３３は仮想垂直面３８の近傍で右側の蓋部材１１側に位置させ、一方、蓋部材１１の開状態で第一連結軸３３Ａは仮想垂直面３８の近傍で左側の反対側に位置させている。しかも、望ましくは、第一連結軸３３が仮想垂直面３８の右側に位置したときの仮想垂直面３８と第一連結軸３３の間の距離は、第一連結軸３３Ａが仮想垂直面３８の反対側に位置したときの仮想垂直面３８と第一連結軸３３Ａの間の距離とほぼ等しくなるようにしている。
【００３５】
従って、蓋部材１１の開閉に伴って第一連結軸３３が仮想垂直面３８の右側から、仮想垂直面３８の左側に移動するとき、第一連結軸３３は勿論、図示しない第二連結軸３４の移動も、駆動軸１９の中心軸線３７上から余りずれることがなくなる。
【００３６】
また蓋部材１１の開状態における第一連結軸３３Aと、蓋部材１１の閉状態における第一連結軸３３とを結ぶ中心軸線間の距離に対して、第一連結軸３３および第一連結軸３３Aと回転中心軸１７とを結ぶ中心軸線間の距離は大きく、かつほぼ二等辺三角形の頂点に各軸の中心軸線が位置するようにそれぞれを配置されている。
【００３７】
従って、蓋部材１１の開閉に伴って第一連結軸３３が仮想垂直面３８の右側から、仮想垂直面３８の左側に移動するとき、第一連結軸３３は勿論、図示しない第二連結軸３４の移動も、駆動軸１９の中心軸線３７上からずれることなく、一層、直線的な動きとすることができる。
【００３８】
図３に示した蓋部材１１の閉じられた状態では、蓋部材閉用電磁駆動装置３６が励磁されてその駆動軸１９は右側に移動されている。また蓋部材１１の開閉動作する側の端部は、蓋部材電磁ロック装置１４によって施錠されて閉状態が保持されている。このとき、駆動軸１９の中心軸線上に第一連結軸３３および第二連結軸３４が位置しており、駆動軸１９と中間リンク２０はほぼ直線的になっている。
【００３９】
図６は、蓋部材１１の開状態を示す平面図である。
【００４０】
図４に示した状態で、蓋部材閉用電磁駆動装置３６および蓋部材電磁ロック装置１４が消磁されると、開扉用ばね装置１３によって駆動軸１９が図３および図４の左側に駆動される。すると、中間リンク２０を介して第二連結軸３４が同方向に駆動され、端金具３０が回転中心軸１７を中心にして時計方向に回転される。上述したように閉状態にある蓋部材１１に対してほぼ鉛直で、かつ回転中心軸３１を通る仮想垂直面を描いたとき、この仮想垂直面の右側に第一連結軸３３が位置している。このため蓋部材１１および端金具３０は、回転中心軸１７を中心にして時計方向に回転しながら蓋部材１１を開き、図５の状態となる。
【００４１】
このとき、駆動軸１９と蓋部材１１間には、特許文献１のような回転中心軸を有するレバーを使用せず回転中心軸を待たない中間リンク２０によって連結されているため、駆動軸１９の動作軸が変化して並進移動となることが防止される。また上述したように閉状態にある蓋部材１１に対してほぼ鉛直で、かつ回転中心軸１７を通る仮想垂直面を描いたとき、この仮想垂直面の左側に先ほどとほぼ同等の距離で第一連結軸３３が位置しているため、中間リンク２０はほぼ同じ姿勢で駆動軸１９の中心軸線上を移動することになる。こうして駆動軸１９は、ほぼその中心軸線上を移動することになる。
【００４２】
一方、同図の開状態から、蓋部材閉用電磁駆動装置３６が励磁されると、開扉用ばね装置１３に抗して駆動軸１９が図５の右側に駆動される。すると、第一連結軸３３を介して中間リンク２０が同方向に駆動され、第二連結軸３４を介して端金具３０が回転中心軸１７を中心にして反時計方向に回転される。その後、蓋部材１１および端金具３０は、回転中心軸１７を中心にして反時計方向に回転しながら蓋部材１１を閉じ、図３および図４の状態となる。
【００４３】
このときも、駆動軸１９と蓋部材１１間には、特許文献１のような回転中心軸を有するレバーを使用せず回転中心軸を持たない中間リンク２０によって連結されているため、駆動軸１９の動作軸が変化して並進移動となることが防止される。その結果、ソレノイドによる駆動力の扉回転動作への伝達効率が向上する。
【００４４】
以上説明したように本発明のエレベータ装置は、蓋部材１１と駆動軸１９間に中間リンク２０を設け、中間リンク２０の一方側端と蓋部材１１間を第一連結軸３３で連結し、中間リンク２０の他方側端と駆動軸１９間を第二連結軸３４で連結した。
【００４５】
このような構成によれば、蓋部材１１の開閉動作が行われても、中間リンク２０があるため第二連結軸３４は駆動軸１９のほぼ中心軸線を移動するようになり、特許文献１のような回転中心軸を有するレバーを使用した場合のように駆動軸１９の動作軸が変化して並進移動となることが防止される。
【００４６】
また本発明は上述の構成に加えて、第一連結軸３３と第二連結軸３４と回転中心軸１７とをほぼ平行に配置すると共に、蓋部材１１の開閉に伴う第一連結軸３３の移動距離よりも大きな距離を隔てて駆動軸１９の中心軸線３７からほぼ直交する方向に回転中心軸１７を配置した。
【００４７】
このような構成によれば、回転中心軸１７を中心とする第一連結軸３３の移動が駆動軸１９の中心軸線３７に対して一層直線的になり、これに伴って第二連結軸３４は駆動軸１９のほぼ中心軸線を移動するようになり、特許文献１のような回転中心軸を有するレバーを使用した場合のように駆動軸１９の動作軸が変化して並進移動となることが防止される。
【００４８】
また本発明は上述の構成に加えて、閉状態の蓋部材１１に対して直交し、かつ回転中心軸１７を通る仮想垂直面３８を想定したとき、蓋部材１１の閉状態で第一連結軸３３は仮想垂直面３８の蓋部材１１側に位置させ、一方、蓋部材１１の開状態で第一連結軸３３は仮想垂直面３８の反対側に位置させた。
【００４９】
このような構成によれば、蓋部材１１の開閉動作が行われても、第一連結軸３３は駆動軸１９のほぼ中心軸線を移動するようになり、これに伴って第二連結軸３４も駆動軸１９のほぼ中心軸線を移動するようになり、特許文献１のように駆動軸１９の動作軸が変化して並進移動となることが防止される。
【００５０】
また本発明は上述の構成に加えて、第一連結軸３３は、蓋部材１１の閉状態で仮想垂直面３８の蓋部材１１側に位置したときの仮想垂直面３８との間の距離と、蓋部材１１の開状態で仮想垂直面３８の反対側に位置したときの仮想垂直面３８との間の距離とをほぼ等しくした。
【００５１】
このような構成によれば、蓋部材１１の開閉動作が行われても、第一連結軸３３は駆動軸１９のほぼ中心軸線に一層近い位置を移動するようになり、特許文献１のような回転中心軸を有するレバーを使用した場合のように駆動軸１９の動作軸が変化して並進移動となることが防止される。
【００５２】
また本発明は上述の構成に加えて、蓋部材１１の開状態における第一連結軸３３と、蓋部材１１の閉状態における第一連結軸３３との間の距離よりも十分離れた位置で、かつほぼ二等辺三角形の頂点に回転中心軸１７が位置するようにそれぞれを配置している。
【００５３】
このような構成によれば、蓋部材１１の開閉に伴って第一連結軸３３が仮想垂直面３８の右側から、仮想垂直面３８の左側に移動するとき、第一連結軸３３および第二連結軸３４の移動は駆動軸１９の中心軸線３７上からずれることなく、一層、直線的な動きとすることができる。
【００５４】
上述の説明のとおり、本実施例のエレベータ換気装置によれば、蓋部材が開閉されるとき蓋部材開閉装置における駆動軸の動作軸線にずれが発生するのを防止することができる。
【００５５】
尚、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。
【符号の説明】
【００５６】
１１  蓋部材、１２  蓋部材開閉駆動装置、１３  開扉用ばね装置、１４  蓋部材電磁ロック装置、１５  解除用ばね装置、１７  回転中心軸、１９  駆動軸、２０  中間リンク、３０  端金具、３３，３５  連結軸、
【図１】
2018002453.tif 000003
【図２】
2018002453.tif 000004
【図３】
2018002453.tif 000005
【図４】
2018002453.tif 000006
【図５】
2018002453.tif 000007
【図６】
2018002453.tif 000008